(57)【要約】      （修正有）【課題】嵌合タイプの折板建築用板において、外気温度による熱伸縮に良好に対応することができる屋根，壁等の嵌合外囲体とすること。【解決手段】本体部１１の幅方向両側より舌状支持片１２が形成され、前記本体部１１の本体底部１１１には，前記本体部１１の前後方向に本体取付長孔１３が形成された嵌合用吊子Ａと、該嵌合用吊子Ａを固着具４３にて支持固定する受金具４と、主板６１の幅方向両側部分より立上り側部６２が形成され，両立上り側部６２の上端に被嵌合屈曲部６３が形成された折板建築用板６と、前記被嵌合屈曲部６３に嵌合するキャップ材７とからなること。前記本体取付長孔１３に固着具４３が貫通されて受金具４に固着され、折板建築用板６が複数並設され、隣接する前記折板建築用板６の対向する両被嵌合屈曲部６３に前記嵌合用吊子Ａの舌状支持片１２が巻着又は嵌合され、前記両被嵌合屈曲部６３に前記キャップ材７が嵌合されること。【選択図】図１
2008190150.tif 000002
【特許請求の範囲】
【請求項１】
略直方体状且つ筐体状の本体部の幅方向両側より舌状支持片が形成され、前記本体部の本体底部には，前記本体部の前後方向に沿って長孔としてなる本体取付長孔が形成された嵌合用吊子と、該嵌合用吊子を固着具にて支持固定する受金具と、主板の幅方向両側部分より立上り側部が形成され，両立上り側部の上端に被嵌合屈曲部が形成された折板建築用板と、前記被嵌合屈曲部に嵌合するキャップ材とからなり、前記本体取付長孔に固着具が貫通されて受金具に固着されると共に、前記折板建築用板が複数並設され、隣接する前記折板建築用板の対向する両被嵌合屈曲部に前記嵌合用吊子の舌状支持片が巻着又は嵌合されると共に、前記両被嵌合屈曲部に前記キャップ材が嵌合されてなることを特徴とする嵌合外囲体。
【請求項２】
請求項１において、前記本体部内に収納されるものであって、座金底部の幅方向両側より座金側部が形成され、該座金側部の上端より押え片が形成されると共に前記座金底部には座金取付長孔が形成され且つ前記本体部の本体取付長孔の長手方向と同一方向に延出する長孔とした中間座金部が具備されてなることを特徴とする嵌合外囲体。
【請求項３】
請求項１又は２において、前記帯板状の押え板に押え長孔が形成されてなる上部座金が具備されてなることを特徴とする嵌合外囲体。
【発明の詳細な説明】
【技術分野】
【０００１】
本発明は、キャップ材が具備された嵌合タイプの折板建築用板において、外気温度による熱伸縮に良好に対応することができる屋根，壁等の嵌合外囲体に関する。
【背景技術】
【０００２】
従来、金属製の嵌合タイプの折板建築用板からなる屋根（壁も含む）が多く施工されている。このような屋根を構成する折板建築用板は、谷状部の幅方向両側に嵌合連結用屈曲部を形成したもので、その折板建築用板を複数並設し、隣接する折板建築用板同士とを吊子とキャップ材及び受金具等を介して施工される。このような嵌合タイプの折板屋根では、外気温度の変化によって、嵌合連結部が長手方向に沿って伸縮する。この伸縮量は、夏等の高温時には極めて大きく、熱歪が発生することにより、特に嵌合連結部の吊子及び受金具による固定箇所では、熱伸縮による大きな歪が現れて、きしみ音が出る音鳴り現象が発生することになる。
【特許文献１】特開平８−２２６１９９号
【発明の開示】
【発明が解決しようとする課題】
【０００３】
このような音鳴り現象は、前述したように、嵌合連結部が吊子及び受金具にて固定されているために発生するものである。しかしながら、従来の吊子は、特許文献１に開示されているように、吊子には貫通孔が形成されており、受金具に設けられたボルトによって固定され、吊子が受金具に対して略不動状態である。したがって、嵌合連結部の熱伸縮を吸収するような構造ではないため音鳴り現象を防止することができない。
【０００４】
また、吊子が２部材から構成され、タイトフレームに固定するための座金に貫通孔が形成されたものが開示されており、貫通孔が長孔であり、吊子が幅方向に位置調整することができるものである。すなわち、この長孔の長手方向は吊子に装着される屋根板材の嵌合連結部の長手方向とは直交する方向にあり、前記嵌合連結部の長手方向における熱伸縮を吸収することができない。本発明の目的（課題又は目的等）は、嵌合タイプの折板屋根の嵌合連結部における熱伸縮を吸収すると共に音鳴り現象の発生を簡単に防止することができ、しかも極めて簡単な構造にすることができる吊子を提供することである。
【課題を解決するための手段】
【０００５】
そこで、発明者は上記課題を解決すべく、鋭意，研究を重ねた結果、請求項１の発明を、略直方体状且つ筐体状の本体部の幅方向両側より舌状支持片が形成され、前記本体部の本体底部には，前記本体部の前後方向に沿って長孔としてなる本体取付長孔が形成された嵌合用吊子と、該嵌合用吊子を固着具にて支持固定する受金具と、主板の幅方向両側部分より立上り側部が形成され，両立上り側部の上端に被嵌合屈曲部が形成された折板建築用板と、前記被嵌合屈曲部に嵌合するキャップ材とからなり、前記本体取付長孔に固着具が貫通されて受金具に固着されると共に、前記折板建築用板が複数並設され、隣接する前記折板建築用板の対向する両被嵌合屈曲部に前記嵌合用吊子の舌状支持片が巻着又は嵌合されると共に、前記両被嵌合屈曲部に前記キャップ材が嵌合されてなる嵌合外囲体としたことにより、上記課題を解決した。
【０００６】
請求項２の発明を、前述の構成において、前記本体部内に収納されるものであって、座金底部の幅方向両側より座金側部が形成され、該座金側部の上端より押え片が形成されると共に前記座金底部には座金取付長孔が形成され且つ前記本体部の本体取付長孔の長手方向と同一方向に延出する長孔とした中間座金部が具備されてなる嵌合外囲体としたことにより、上記課題を解決した。請求項３の発明を、前述の構成において、前記帯板状の押え板に押え長孔が形成されてなる上部座金が具備されてなる嵌合外囲体としたことにより、上記課題を解決した。
【発明の効果】
【０００７】
請求項１の発明においては、第１に屋根，壁とした外囲体の音鳴り現象を回避することができるし、第２に吊子，受金具等の部品を極めて簡単な構造とし、外囲体の施工を簡易且つ迅速にすることができる等の種々の効果を奏する。嵌合吊子の吊子本体には、前後方向に延出する本体取付長孔を備えているので、前記嵌合吊子を固定する受金具の固着具に対して、折板建築用板の長手方向における熱伸縮の発生時には、吊子本体が本体取付長孔の延出方向に沿って移動することができるものである。このため、嵌合外囲体における折板建築用板の熱伸縮を良好に吸収することができ、音鳴現象を防止することができる。
【０００８】
請求項２の発明は、座金底部の幅方向両側より座金側部が形成され、該座金側部の上端より押え片が形成されると共に前記座金底部には座金取付長孔が形成され且つ前記本体部の本体取付長孔の長手方向と同一方向に延出する長孔とした中間座金部が前記本体部内に収納されることによって、前記吊子本体をより一層安定させることができると共に、座金取付長孔が前記本体取付長孔の長手方向と同一方向に形成されていることにより、中間座金は吊子本体と共に移動することができるものである。請求項３の発明は、前記帯板状の押え板に押え長孔が形成されていることにより、前記吊子本体及び中間座金をより一層安定した状態で固定することができると共に、押え長孔が前記本体取付長孔及び座金取付長孔と同様に同一方向の長孔としているので、折板建築用板の熱伸縮に対して、容易に嵌合吊子が移動することができるものである。
【発明を実施するための最良の形態】
【０００９】
以下、本発明を実施するための最良の形態について図面に基づいて説明する。まず、嵌合用吊子Ａは、図２に示すように、主に吊子本体１，中間座金２及び上部座金３とから構成されている。また、嵌合用吊子Ａは、前記中間座金２及び上部座金３は使用されないで、前記吊子本体１のみから構成されることもある。前記吊子本体１は、図３に示すように、略直方体状且つ筐体状の本体部１１と，舌状支持片１２，１２とから構成されている。前記本体底部１１１は、長方形又は正方形等の略方形状に形成されている。該本体底部１１１の周辺（４辺）から立上り部１１２が形成されており、前記本体底部１１１と立上り部１１２によって、略直方体の筐体を構成するものである。
【００１０】
前記本体部１１の幅方向両側に位置する立上り部１１２,１１２の上端から舌状支持片１２，１２が形成されている〔図３（Ａ），（Ｄ）参照〕。該舌状支持片１２，１２は、後述の折板建築用板６の被嵌合屈曲部６３に巻き付けるようにして、折板建築用板６を嵌合用吊子Ａに固定する役目をなすものである。前記舌状支持片１２は、水平状部１２１及び巻付用部１２２とから構成され、前記水平状部１２１は、前記立上り部１１２の上端から略水平状となるように連続的に折曲形成されている。
【００１１】
さらに前記水平状部１２１の外端から前記巻付用部１２２が形成されている。該巻付用部１２２は、嵌合用吊子Ａが使用前の単体の状態では、前記水平状部１２１に対して下向き傾斜状に形成されている。さらに巻付用部１２２は、折返し折曲線１２２ａを介して外側領域に折返し端片１２２ｂが設けられ、前記折返し折曲線１２２ａを介して前記折返し端片１２２ｂが内方側（本体部１１）側に折曲し易い構造となっている〔図３（Ａ），（Ｄ）参照〕。
【００１２】
前記本体部１１の本体底部１１１には、本体取付長孔１３が形成されている。該本体取付長孔１３は、図３（Ａ）乃至（Ｃ）に示すように、前記本体部１１の前後方向に沿って長孔として形成されている。該本体部１１の前後方向とは、嵌合用吊子Ａが後述の受金具４の頂部４１に適正な状態で装着され、後述の折板建築用板６を前記舌状支持片１２，１２にて巻着固定したときに、該折板建築用板６の長手方向に沿った方向のことである。
【００１３】
次に、中間座金２は、図１（Ｂ），（Ｃ），図２等に示すように、前記本体部１１内に収納されるものであって、図４に示すように、座金筐体部２１と押え片２２とから構成されたものである。まず、座金筐体部２１は、座金底部２１１の幅方向両側より座金側部２１２，２１２が形成されている。さらに、該座金側部２１２の上端より前記押え片２２が形成されている。該押え片２２は、前記両座金側部２１２，２１２から、座金筐体部２１の外方に向かって略水平且つ平坦板状に突出形成された部位である。さらに、前記座金底部２１１の前後方向の端縁から補強側部２１３，２１３が立ち上り形成されている。
【００１４】
そして、前記座金底部２１１，座金側部２１２，２１２及び補強側部２１３，２１３によって、略直方体状の座金筐体部２１が形成されるものである。該座金筐体部２１は、前述したように、吊子本体１の本体部１１の内部に収納されるものであり、その大きさも収納可能な大きさに形成されるものである。前記押え片２２，２２は、前記吊子本体１の舌状支持片１２，１２を覆う部位である。前記座金底部２１１には、座金取付長孔２３が形成され且つ前記本体部１１の本体取付長孔１３の長手方向と同一方向に延出する長孔として形成されている。前記座金取付長孔２３は、前記本体底部１１１と同一（略同一も含む）形状である。
【００１５】
次に、上部座金３は、図５に示すように、略帯板状の板状部３１に押え長孔３２が形成されたものである。該板状部３１は、前記中間座金２の座金底部２１１をボルト・ナットを介して押圧固定する役目をなすものであり、中間座金２を吊子本体１の本体部１１に対して一層安定した状態で固定させる役目をなすものである。前記押え長孔３２は、前記本体取付長孔１３、座金取付長孔２３と略同一形状の長孔である。前記上部座金３は、前記中間座金２の座金筐体部２１内に収められるものであり、その大きさも収納可能な大きさに形成されるものである〔図１（Ｃ），図２等参照〕。
【００１６】
次に、受金具４は、金属帯板から台形山形状に折曲形成されたものであり、頂部４１の幅方向両側から外向き傾斜状に脚部４２，４２が形成されている。また前記頂部４１にはボルト等の固着具４３が設けられている。該固着具４３は、螺子軸４３１とナット４３２とから構成され、前記頂部４１の上方に垂直状に螺子軸４３１が植設されている〔図２（Ａ），（Ｂ）参照〕。そして、前記吊子本体１，中間座金２及び上部座金３が前記螺子軸４３１と、ナット４３２と共に受金具４に固定される。該受金具４は、母屋，胴縁等の構造材８上に溶接手段又はボルト・ナット等によって固着される。
【００１７】
次に、折板建築用板６ は、主板６１の幅方向両側部分より立上り側部６２，６２が形成され、その両立上り側部６２，６２の上端には被嵌合屈曲部６３，６３が形成されている。そして、このような折板建築用板６ ，６ …を複数並設し、それぞれの隣接する折板建築用板６ ，６ の対向する被嵌合屈曲部６３，６３上にキャップ材７ を嵌合して両折板建築用板６ ，６ を連結し、嵌合外囲体を施工してゆくものである。
【００１８】
その被嵌合屈曲部６３の具体的な形状としては、図６，図７等に示すように、水平状片６３１より垂直状片６３２が形成され、該垂直状片６３２の上端より頂片６３３が形成され、該頂片６３３の外端より被嵌合端片６３４が形成されている。その水平状片６３１，垂直状片６３２及び頂片６３３にて略コ字形状が構成されている〔図７（Ａ）参照〕。前記キャップ材７ は、上面部７１の幅方向両側より嵌合屈曲部７２，７２が形成されたものであり、該嵌合屈曲部７２，７２が前記隣接する折板建築用板６ ，６ の対向する被嵌合屈曲部６３，６３の被嵌合端片６３４，６３４に嵌合する構造となっている。
【００１９】
まず、平行或いは所定の規則に基づいて配置施工された複数の母屋，胴縁等の構造材８，８，…上に複数の受金具４,４，…が配置固着される。次に、幅方向に複数配置固着された受金具４，４，…のそれぞれの間（隣接する受金具４，４間）に前記折板建築用板６が配置され、幅方向に隣接する折板建築用板６，６の対向する被嵌合屈曲部６３，６３が前記受金具４の頂部４１の幅方向両側に設置される。その対向する被嵌合屈曲部６３，６３の間に嵌合用吊子Ａの吊子本体１が配置され、舌状支持片１２，１２によって被嵌合屈曲部６３を巻付けるようにして固定される。次に、吊子本体１の本体部１１に中間座金２が配置され、さらに該中間座金２に上部座金３が配置され受金具４の固着具によって固着される。さらに、対向する両被嵌合屈曲部６３，６３にキャップ材７が嵌合固着されるものである。
【００２０】
このようにして構成された屋根，壁等とした嵌合外囲体において、それぞれの折板建築用板６に熱伸縮が発生しない状態では、図８（Ａ）に示すように、前記本体取付長孔１３の延出方向（長手方向）に対して、ボルト等の固着具４３の螺子軸の位置は、本体取付長孔１３の略中央に位置する。そして、前記折板建築用板６が長手方向に熱伸縮が発生して、前記嵌合用吊子Ａの舌状支持片１２，１２によって巻着されて固定された被嵌合屈曲部６３，６３の巻着部にかかる熱応力が前記嵌合用吊子Ａを固着する固着具４３の締付力を上回ったときに、嵌合用吊子Ａが受金具４の頂部４１上を移動するものである。
【００２１】
すなわち、前記固着具４３による嵌合用吊子Ａの受金具４に対する締付力をＴとし、折板建築用板６の熱伸縮による熱応力をＫとすると、前記折板建築用板６の伸び又は縮みの方向に対して、締付力Ｔ＞熱応力Ｋの場合には、嵌合用吊子Ａは不動状態が維持される。そして、締付力Ｔ＜熱応力Ｋの場合には、熱伸縮による伸び或いは縮みが嵌合用吊子Ａに対して外力となり、該嵌合用吊子Ａを受金具４の固着具４３に対して移動させることになる。したがって、嵌合用吊子Ａは、固着具４３の締付力Ｔの大きさによって、熱応力Ｋに対する不動状態を調整することができるものであり、熱伸縮による音鳴り現象を防止するには、締付力Ｔを小さく設定し、また熱伸縮量を抑える必要があれば、前記締付力Ｔを大きく設定することになる。
【００２２】
このように、前記折板建築用板６の熱伸縮による熱応力Ｋの水平方向の力が一定以上の水準を越える時点から嵌合用吊子Ａは、受金具４の固着具４３に対して、その長孔に沿って移動することができるものである。熱応力Ｋの水準は、各地域の気候等によって決定される。図８（Ｂ）は熱伸縮により、前記折板建築用板６が長さΔＬだけ伸びたときの嵌合用吊子Ａと受金具４の固着具４３との位置関係を示す状態図である。また図８（Ｃ）は熱伸縮により、前記折板建築用板６が長さΔＬだけ縮んだときの嵌合用吊子Ａと受金具４の固着具４３との位置関係を示す状態図である。図８（Ｂ）は、熱応力Ｋによって折板建築用板６が伸びた場合に、前記折板建築用板６の非伸縮時における任意の基準位置ＭからΔＬだけ長く伸びたことを示す。また、図８（Ｃ）は、熱応力Ｋによって折板建築用板６が縮んだ場合に、前記折板建築用板６の非伸縮時における任意の基準位置ＭからΔＬだけ短く縮んだことを示す。なお、図８（Ｃ）では、折板建築用板６が基準位置Ｍから短く縮んだことを−ΔＬで示している。
【００２３】
本発明における嵌合外囲体は、折板建築用板６の長手方向における熱伸縮が発生したときに、吊子本体１の本体取付長孔１３，座金取付長孔２３及び押え長孔３２が前後方向に沿って略同一の長孔に形成されているので、折板建築用板６の熱伸縮による熱応力が一定以上になると嵌合吊子Ａは、受金具４の固着具４３に対して、その長孔の延出方向に沿って移動し、熱伸縮を吸収し、ひいては音鳴り現象も防止することができるものである。
【図面の簡単な説明】
【００２４】
【図１】（Ａ）は本発明の嵌合用吊子を使用した外囲体の側面略示図、（Ｂ）は（Ａ）の一部断面にした要部拡大図、（Ｃ）は嵌合用吊子の受金具への装着構造を示す一部断面にした要部拡大図である。
【図２】（Ａ）は本発明における嵌合用吊子及び受金具の構成を示す斜視図、（Ｂ）は嵌合用吊子及び受金具の一部分離した構成を示す縦断側面図、（Ｃ）は嵌合用吊子及び受金具の分離した状態を示す縦断正面図である。
【図３】（Ａ）は吊子本体の斜視図、（Ｂ）は吊子本体の平面図、（Ｃ）は吊子本体の縦断側面図、（Ｄ）は（Ｃ）のＸａ―Ｘａ矢視断面図である。
【図４】（Ａ）は本発明における中間座金の斜視図、（Ｂ）は中間座金の平面図、（Ｃ）は中間座金の縦断側面図、（Ｄ）は（Ｃ）のＸｂ―Ｘｂ矢視断面図である。
【図５】（Ａ）は上部座金の斜視図、（Ｂ）は中間座金の平面図、（Ｃ）は（Ｂ）のＸｃ―Ｘｃ矢視断面図である。
【図６】（Ａ）は本発明の嵌合用吊子を使用した外囲体の縦断正面略示図、（Ｂ）は（Ａ）の要部拡大断面図、（Ｃ）は中間座金及び上部座金を使用しない嵌合用吊子を使用した外囲体の要部縦断正面略示図である。
【図７】（Ａ）は幅方向に隣接する折板建築用板の対向する被嵌合屈曲部間に嵌合用吊子を配置しようとする工程図、（Ｂ）は幅方向に隣接する折板建築用板の対向する被嵌合屈曲部間に嵌合用吊子が装着された状態図である。
【図８】（Ａ）は折板建築用板が熱伸縮しないときの嵌合用吊子と受金具との位置関係を示す状態図、（Ｂ）及び（Ｃ）は折板建築用板が熱伸縮したときの嵌合用吊子と受金具との位置関係を示す状態図である。
【符号の説明】
【００２５】
Ａ…嵌合用吊子、１１…本体部、１１１…本体底部、１２…舌状支持片、
１３…本体取付長孔、２１１…座金底部、２１２…座金側部、２２…押え片、
２３…座金取付長孔、３…上部座金、３１…押え板、３２…押え長孔、４…受金具、
４３…固着具、６…折板建築用板、６１…主板、６２…立上り側部、
６３…被嵌合屈曲部、７…キャップ材。
【図１】
2008190150.tif 000003
【図２】
2008190150.tif 000004
【図３】
2008190150.tif 000005
【図４】
2008190150.tif 000006
【図５】
2008190150.tif 000007
【図６】
2008190150.tif 000008
【図７】
2008190150.tif 000009
【図８】
2008190150.tif 000010